(57)【要約】【課題】指定された顔位置に基づいて適切な表示範囲で顔画像を表示する撮影装置等を提供する。【解決手段】証明写真用撮影装置１の制御手段１１は、撮影手段１２により被撮影者５を撮影し、撮影した撮影画像原画１００を表示操作手段１３上に表示し、被撮影者５に顔センターを指でタッチするよう要求する。被撮影者５が顔センターに指でタッチすることにより、制御手段１１は顔位置の情報を得て、それに基づいて表示画像枠１０１を決定する。そして、表示画像枠１０１の倍率を上げ、顔画像１０２として表示操作手段１３上に表示する。被撮影者５は、表示操作手段１３上に表示される顔画像１０２を確認する。【選択図】図１
2009116442.tif 000002
【特許請求の範囲】
【請求項１】
撮影画像の上下の画角が大きい撮影手段と、前記撮影画像を表示するタッチパネルとを有し、被撮影者が撮影画像を表示した前記タッチパネルに触れることにより顔位置を指定すると、指定された前記顔位置に基づいて印刷画像枠を設定し、前記印刷画像枠を拡大して前記タッチパネルに表示することを特徴とする撮影装置。
【請求項２】
前記印刷画像枠の面積は、前記撮影装置の前記画角に応じて決定することを特徴とする請求項１記載の撮影装置。
【請求項３】
前記印刷画像枠は、指定された前記顔位置が縦方向で一定の割合となるように決定することを特徴とする請求項１記載の撮影装置。
【請求項４】
撮影画像の上下の画角が大きく、撮影画像を表示するタッチパネルを有する撮影装置において、被撮影者がタッチパネルに触れることにより顔位置を指定すると、指定された前記顔位置に基づいて印刷画像枠を設定し、前記印刷画像枠を拡大して前記タッチパネルに表示することを特徴とする顔画像表示範囲指定方法。
【請求項５】
前記印刷画像枠の面積は、前記撮影装置の前記画角に応じて決定することを特徴とする請求項４記載の顔画像表示範囲指定方法。
【請求項６】
前記印刷画像枠は、指定された前記顔位置が縦方向で一定の割合となるように決定することを特徴とする請求項４記載の顔画像表示範囲指定方法。
【発明の詳細な説明】
【技術分野】
【０００１】
本発明は、指定された顔位置に基づいて適切な表示範囲で顔画像を表示する顔画像の撮影装置及び顔画像表示範囲指定方法等に関する。
【背景技術】
【０００２】
証明写真用撮影装置は、近年デジタル化が進み、撮影者が撮影結果を確認し、取り直すか、あるいは、印刷するかを判断することができるようになっている。
撮影結果は、撮影された画像を確認しやすいように表示する必要があるが、例えば、カメラ位置が固定で、撮影者が座る椅子が固定されていて高さの調整機能がない場合、撮影者の座高等の高さによる撮影画像の顔位置にバラツキが発生し、表示される顔画像の見え方にもバラツキが発生する。
この問題を回避するため、画像処理技術により顔位置を自動的に検出し、バラツキを補正するという方法がある。
（例えば、特許文献１）
【０００３】
【特許文献１】特開２００１−２０９１１６号公報
【発明の開示】
【発明が解決しようとする課題】
【０００４】
しかしながら、上記の方法では、ある一定範囲を前提として検出精度を確保することが一般的で、ある程度のバラツキを補正することができるが、バラツキの範囲が大きい場合、補正が必ずしも可能であるとはいえない。
例えば、健常者と車椅子使用者、あるいは子供が同じ証明写真用撮影装置を用いて撮影する場合、顔位置の高低差は非常に大きく、自動顔検出機能が働かず、常に撮影結果の確認画面を見やすく表示することは困難である。
【０００５】
本発明は、このような問題に鑑みてなされたもので、その目的とするところは、指定された顔位置に基づいて適切な表示範囲で顔画像を表示する撮影装置等を提供することにある。
【課題を解決するための手段】
【０００６】
前述した目的を達成するために第１の発明は、撮影画像の上下の画角が大きい撮影手段と、前記撮影画像を表示するタッチパネルとを有し、被撮影者が撮影画像を表示した前記タッチパネルに触れることにより顔位置を指定すると、指定された前記顔位置に基づいて印刷画像枠を設定し、前記印刷画像枠を拡大して前記タッチパネルに表示することを特徴とする撮影装置である。
【０００７】
前記印刷画像枠の面積は、前記撮影装置の前記画角に応じて決定し、また、指定された前記顔位置が縦方向で一定の割合となるように決定する。
例えば、前記印刷画像枠の面積が撮影原画の面積の４分の１となるようにし、指定された前記顔位置が前記印刷画像枠内で３：５の割合となるように前記印刷画像枠の位置を決定する。
【０００８】
第２の発明は、撮影画像の上下の画角が大きく、撮影画像を表示するタッチパネルを有する撮影装置において、被撮影者がタッチパネルに触れることにより顔位置を指定すると、指定された前記顔位置に基づいて印刷画像枠を設定し、前記印刷画像枠を拡大して前記タッチパネルに表示することを特徴とする顔画像表示範囲指定方法である。
【発明の効果】
【０００９】
本発明によれば、指定された顔位置に基づいて適切な表示範囲で顔画像を表示する撮影装置等を提供することができる。
【発明を実施するための最良の形態】
【００１０】
以下、添付図面を参照しながら、本発明に係る撮影装置等の好適な実施形態について詳細に説明する。
【００１１】
最初に、図１を参照しながら、本発明の実施の形態に係る証明写真用撮影装置１の構成について説明する。
図１は、証明写真用撮影装置１の構成を示すブロック図である。
【００１２】
本発明に係る証明写真用撮影装置１は、制御手段１１、撮影手段１２、表示操作手段１３、金銭受付手段１４、プリント手段１５等を備える。被撮影者５は、固定椅子３に座って証明写真用の顔画像を撮影する。
被撮影者５が座る椅子は固定椅子３に限定しない。固定椅子３の代わりに高さの調整可能な椅子を設置してもよいし、固定椅子３等既設の椅子を移動可能な構造とし、被撮影者５が車椅子のまま撮影するようにしてもよい。
【００１３】
制御手段１１は、プログラムの実行を行うＣＰＵ（Ｃｅｎｔｒａｌ  Ｐｒｏｃｅｓｓｉｎｇ  Ｕｎｉｔ）と、プログラム命令あるいはデータ等を格納するためのＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリから構成される。制御部１１は、証明写真用撮影装置１全体を制御する。
【００１４】
撮影手段１２は、被撮影者５を撮影するデジタルカメラで、固定位置に取り付けられている。
撮影手段１２は撮影画角が十分大きく、高低差により被撮影者５の顔部分が欠けることがない。
【００１５】
表示操作手段１３は、ＣＲＴ(Ｃａｔｈｏｄｅ−Ｒａｙ  Ｔｕｂｅ)あるいはＬＣＤ(Ｌｉｑｕｉｄ  Ｃｒｙｓｔａｌ  Ｄｉｓｐｌａｙ)等の表示手段と一体化したタッチパネルのような表示装置で、証明写真撮影のためのメニュー画面等を表示したり、撮影手段１２により撮影した撮影画像を確認のために表示する表示手段として機能する。また、被撮影者５が指等でタッチすることにより、メニュー選択や顔画像の表示範囲指定のための操作を受け付ける。
表示操作手段１３は、タッチパネルの他に、キーボード、マウス、トラックボール等の各種ポインタを備えてもよい。
【００１６】
金銭受付手段１４は、被撮影者５による証明写真の注文内容に応じて、課金処理を行い、被撮影者５に入金を要求する。
プリント手段１５は、画像データを印刷する高解像度カラープリンタで、昇華型あるいはインクジェット型など、プリンタの方式は問わない。
【００１７】
被撮影者５は、顔画像の撮影後、表示操作手段１３に表示される撮影結果を確認し、顔位置を指でタッチすると、証明写真用撮影装置１はタッチした位置を顔センターと認識し、証明写真用の表示画像枠を決定し、拡大して表示操作手段１３に表示する。
【００１８】
次に、図２、３、４、５、６、７を参照しながら、本発明に係る証明写真用撮影装置１を用いた顔画像の表示範囲指定の方法について説明する。
図２は、顔位置が平均的な高さの被撮影者５ａの撮影の一例を示す図、図３は、顔位置が平均的な高さの被撮影者５ａの顔画像１０２ａの一例を示す図、図４は、顔位置が低い被撮影者５ｂの撮影の一例を示す図、図５は、顔位置が低い被撮影者５ｂの顔画像１０２ｂの一例を示す図、図６は、顔位置が高い被撮影者５ｃの撮影の一例を示す図、図７は、顔位置が高い被撮影者５ｃの顔画像１０２ｃの一例を示す図である。
【００１９】
図２に示すように、証明写真用撮影装置１の撮影手段１２は、固定椅子３に座った被撮影者５の高低にかかわらず、顔部分が欠けないように顔画像を撮影することができる画角２１を有する。
顔位置が平均的な高さの被撮影者５ａを撮影すると、図３に示すような撮影画像原画１００ａを表示操作手段１３上に表示する。撮影手段１２は、撮影画角２１全体を範囲とした画像を撮影するため、撮影画像原画１００ａにおいて顔部分の表示面積は通常の証明写真と比べて小さく、確認しにくい。
被撮影者５ａが表示操作手段１３上で顔部分をタッチすると、制御手段１１はタッチした座標を顔センターと認識し、顔部分が適切な位置となる表示画像枠１０１ａを設定する。更に、表示画像枠１０１ａを拡大し、表示操作手段１３上に顔画像１０２ａとして表示する。これにより、被撮影者５ａは、撮影された顔画像１０２ａを確実に確認することができる。
【００２０】
子供のように背の低い被撮影者５ｂが固定椅子３に座ったり、あるいは、被撮影者５ｂが車椅子を利用して証明写真を撮影しようとする場合、図４に示すように、被撮影者５ｂの顔位置は撮影手段１２に対して低い位置となるが、撮影画角２１が十分に大きいため、撮影画角２１内に被撮影者５ｂの顔部分が入る。
撮影手段１２による被撮影者５ｂの撮影後、表示操作手段１３上に表示される撮影画像原画１００ｂは、図５に示すように顔部分が中央よりも低い不自然な位置となり、また、顔部分の表示面積は小さく、確認しにくい。
被撮影者５ｂが表示操作手段１３上で顔部分をタッチすると、制御手段１１はタッチした座標を顔センターと認識し、顔部分が適切な位置となる表示画像枠１０１ｂを設定する。更に、表示画像枠１０１ｂを拡大し、表示操作手段１３上に顔画像１０２ｂとして表示する。
【００２１】
逆に、背の高い被撮影者５ｃが固定椅子３に座って証明写真を撮影しようとする場合、図６に示すように、被撮影者５ｃの顔位置は撮影手段１２に対して高い位置となるが、撮影画角２１が十分に大きいため、撮影画角２１内に被撮影者５ｃの顔部分が入る。
撮影手段１２による被撮影者５ｃの撮影後、表示操作手段１３上に表示される撮影画像原画１００ｃは、図７に示すように顔部分が中央よりも高い不自然な位置となり、また、顔部分の表示面積は小さく、確認しにくい。
被撮影者５ｃが表示操作手段１３上で顔部分をタッチすると、制御手段１１はタッチした座標を顔センターと認識し、顔部分が適切な位置となる表示画像枠１０１ｃを設定する。更に、表示画像枠１０１ｃを拡大し、表示操作手段１３上に顔画像１０２ｃとして表示する。
【００２２】
次に、図８、９を参照しながら、本発明に係る証明写真用撮影装置１を用いた顔画像の表示範囲指定の処理の流れについて説明する。
図８は、証明写真用撮影装置１における顔画像表示範囲指定の処理の流れを示すフローチャート、図９は、表示画像枠１０１の一例を示す図である。
【００２３】
証明写真用撮影装置１の制御手段１１は、表示操作手段１３から入力される被撮影者５の指示に従って、撮影手段１２により被撮影者５を撮影する（ステップ２０１）。
撮影した撮影画像原画１００は、顔位置が被撮影者５の高低によって異なり、また、撮影画角２１が大きいため、顔部分の表示面積が小さい。
【００２４】
証明写真用撮影装置１の制御手段１１は、撮影した撮影画像原画１００を表示操作手段１３上に表示し、被撮影者５に顔センターを指でタッチするよう要求する。被撮影者５が顔センターを指でタッチすることにより、制御手段１１は顔位置の情報を得て、それに基づいて表示画像枠１０１を決定する（ステップ２０２）。
表示画像枠１０１は、撮影画角２１により決定するが、図３、５、７に示す例では、表示画像枠１０１の面積が撮影画像原画１００の４分の１となるようにした。
また、指定された顔センター１０３の位置が表示画像枠１０１内の一定割合ａ：ｂとなるように、撮影画像原画１００内で表示画像枠１０１の位置を決定する。図３、５、７に示す例では、ａ：ｂ＝３：５とした。
【００２５】
顔位置情報の獲得において、ｙ座標のみの顔センター１０３を使用し、ｘ座標については考慮しなかったが、本実施においては固定椅子３を使用して撮影しているため、撮影位置の左右のずれはないとみなした。
また、タッチパネル等の表示操作手段１３上で指により顔センターをタッチするため、タッチした指の幅分のｙ座標が得られるが、その幅の中心を顔センター１０３とする。
【００２６】
証明写真用撮影装置１の制御手段１１は、表示画像枠１０１の倍率を上げ、顔画像１０２として表示操作手段１３上に表示し（ステップ２０３）、被撮影者５は顔画像１０２の確認をする。
表示画像枠１０１の面積が撮影画像原画１００の４分の１の場合、表示画像枠１０１を４倍に拡大する。
【００２７】
このように、本実施の形態によれば、指定された顔位置に基づいて適切な表示範囲で顔画像を表示する撮影装置等を提供することができる。
【００２８】
証明写真用撮影装置で撮影した顔画像は、プリンタ等の印刷手段によりその場で印刷するようにしてもよいし、あるいは、ネットワーク等で証明写真用撮影装置と接続したサーバ等に顔画像を送信して保存し、必要に応じて印刷するようにしてもよい。
【００２９】
以上、添付図面を参照しながら本発明に係る撮影装置の好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００３０】
【図１】証明写真用撮影装置１の構成を示すブロック図
【図２】顔位置が平均的な高さの被撮影者５ａの撮影の一例を示す図
【図３】顔位置が平均的な高さの被撮影者５ａの顔画像１０２ａの一例を示す図
【図４】顔位置が低い被撮影者５ｂの撮影の一例を示す図
【図５】顔位置が低い被撮影者５ｂの顔画像１０２ｂの一例を示す図
【図６】顔位置が高い被撮影者５ｃの撮影の一例を示す図
【図７】顔位置が高い被撮影者５ｃの顔画像１０２ｃの一例を示す図
【図８】証明写真用撮影装置１における顔画像表示範囲指定の処理の流れを示すフローチャート
【図９】表示画像枠１０１の一例を示す図
【符号の説明】
【００３１】
１………証明写真用撮影装置
３………固定椅子
５、５ａ、５ｂ、５ｃ………被撮影者
１１………制御手段
１２………撮影手段
１３………表示操作手段
１４………金銭受付手段
１５………プリント手段
２１………撮影画角
１００ａ、１００ｂ、１００ｃ………撮影画像原画
１０１ａ、１０１ｂ、１０１ｃ………表示画像枠
１０２ａ、１０２ｂ、１０２ｃ………顔画像
１０３………顔センター
【図１】
2009116442.tif 000003
【図２】
2009116442.tif 000004
【図３】
2009116442.tif 000005
【図４】
2009116442.tif 000006
【図５】
2009116442.tif 000007
【図６】
2009116442.tif 000008
【図７】
2009116442.tif 000009
【図８】
2009116442.tif 000010
【図９】
2009116442.tif 000011